(57)【要約】【課題】手挿入部に挿入された手に対して掌と手の甲の両側に同時に気体を当てることができるため、掌側と手の甲側同時に乾燥でき、手に付着した水分を効率よく除去することを目的とする。【解決手段】手をノズル８間の２ヵ所にそれぞれ片手づつ前方あるいは下方から挿入できる構成としたことを特徴とした手乾燥装置を構成して、箱体２の下部に垂れ下がる形で、ノズル８間の前後方向および下方が開口している３本のノズル８間に手を前方からあるいは下方から入れられ、ノズル８の吹出し開口部９から吹き出された気体により水滴を吹き飛ばして乾燥させる。【選択図】図１
2008220726.tif 000002
【特許請求の範囲】
【請求項１】
送風装置を有する箱体と、この箱体の下部には前記送風装置と連通し垂れ下がる形でほぼ横並びでほぼ相互平行に突き出た３本のノズルと、前記ノズル同士が向い合うノズル側面には吹出し開口部を設け、手を前記ノズル間の２ヵ所にそれぞれ片手づつ前方あるいは下方から挿入できる構成としたことを特徴とした手乾燥装置。
【請求項２】
前記ノズルの前記吹出し開口部から吹き出す気体を、挿入される手の軸線に対し、軸線と直交または手の挿入方向と同方向に吹き出させることを特徴とした請求項１記載の手乾燥装置。
【請求項３】
前記吹出し開口部を小径の複数孔、あるいは細形スリットで構成したことを特徴とした請求項１および２記載の手乾燥装置。
【請求項４】
前記ノズルと箱体をシャフトで支持した箱体指示部を設けて、前記ノズルが前記箱体支持部を軸として前後方向に回転可動することを特徴とした請求項１から３記載の手乾燥装置。
【請求項５】
複数本の前記ノズルの内、１本を回転可動させれば同時に他の前記ノズルも同じ回転可動することを特徴とした請求項４記載の手乾燥装置。
【請求項６】
それぞれのノズルを１本のシャフトに固定したことを特徴とする請求項５記載の手乾燥装置。
【請求項７】
前記ノズルを前方４５度以上に回転可動にできることを特徴とした請求項４〜６のいずれかに記載の手乾燥装置。
【請求項８】
前記ノズルが回転可動したのち、好みの角度で維持できる回転維持機構を箱体とノズル擦動部に設けたことを特徴とした請求項４〜７のいずれかに記載の手乾燥装置。
【請求項９】
本体のシャフト近傍のノズル摺動部側にバネケースを設け、このバネケースに収められたバネによって球がノズル側面を押すようにし、球が当たるノズル側には、シャフトと同心円状に複数の凹部を並べて、ノズルを回転したときに、球が山を乗り越えて凹部を移動し、球が凹部に嵌っているときは、球が凹部を押し付けてノズルを維持する回転維持機構を設けた請求項８記載の手乾燥装置。
【請求項１０】
前記箱体の背面から、手を乾燥させる空間を覆う形で下方に延びた顎状の水受けを有することを特徴とした請求項１〜９のいずれかに記載の手乾燥装置。
【発明の詳細な説明】
【技術分野】
【０００１】
本発明は、濡れた手に付着している水等を気体で吹き飛ばし、衛生的に乾燥させる手乾燥装置に関するものである。
【背景技術】
【０００２】
従来、この種の手乾燥装置としての技術が開示されている（例えば、特許文献１参照）。
【０００３】
図１２に基づいて、その具体例を説明する。
【０００４】
図１２に示すように、１０１は手乾燥装置の本体である箱体で、１０２は箱体１０１に設けられた上面と側面が開口したＵ字形状の手挿入部、１０３は高圧空気流発生装置としての送風機、１０４は手挿入部の底部に設けられた排水口、１０５は排水口からのドレン水を下方のドレンタンク１１０に導くための排水管。１０６は送風機の送風機吸込口、１０７は箱体１０１の下方に設けられた本体吸込口、１０８は送風機吸込口１０６と本体吸込口１０７を連通する吸気ダクト、１０９は送風機吸込口１０６の上流に当たるチャンバー、１１０は配水管１０５からのドレン水を溜めるドレンタンク、１１１は本体吸込口１０７に設けられたフィルタ−、１１２は送風機からの空気を吹き出すノズルに導く排気ダクト、１１３ａおよび１１３ｂは高圧空気流を吹き出すノズルＡとノズルＢである。
【０００５】
上記のように構成された手乾燥装置は、手挿入部１０２へ手を入れると、手挿入部１０２の奥に設けられたセンサー（図示せず）が手を検知して送風機１０３が作動する。送風機１０３が作動すると空気が本体吸込口１０７から吸気ダクト１０８および送風機吸込口１０６を通って送風機１０３に入り高圧化されて吹き出される。送風機１０３より吹き出された高圧空気は、排気ダクト１１２を通り上下のノズルＡ１１３ａ，ノズルＢ１１３ｂから高速空気流として手挿入部１０２に噴出され、濡れた手に当たり手に付着していた水滴を吹き飛ばし乾燥させる。吹き飛ばされた水滴は手挿入部１０２の内壁に付着して下方に流れ、排水口１０４より配水管１０５を通ってドレンタンク１１０に貯水できるものが開示されている。
【特許文献１】特開２０００−１５７４４７号公報
【発明の開示】
【発明が解決しようとする課題】
【０００６】
手を乾燥させる際、姿勢をやや前かがみにし、手を前に差し出して肘を外側に向けた状態で肘を曲げたり伸ばしたりして手を上下に動かさなければならないため、不自然な動作となってしまい、使い勝手が悪く、また手挿入部が狭く挿入した手が見えず閉塞した圧迫感や恐怖感があるという課題があった。
【０００７】
そこで本発明は、手挿入部に挿入された手に対して掌側と手の甲側を同時に乾燥でき、手に付着した水分を効率よく除去できるだけでなく、ノズル間の前後方向および下方が開口しているため、開放感が得られ、また、車椅子使用者や背の低い女性や子供についても乾燥しやすく、自然な動作で楽に乾燥できる使い勝手の良い手乾燥装置を提供することを目的とする。
【課題を解決するための手段】
【０００８】
前記課題を解決するために本発明は、送風装置を有する箱体と、この箱体の下部には送風装置と連通し垂れ下がる形でほぼ横並びで、かつ、ほぼ相互平行に突き出た３本のノズルと、ノズル同士が向い合うノズル側面には吹出し開口部を設け、手をノズル間の２ヵ所にそれぞれ片手ずつ前方あるいは下方から挿入できる構成としたことを特徴とするものである。
【０００９】
この手段により、ノズル間の前後方向および下方が開口しているため、手を前方からあるいは下方から挿入でき、開放感が得られる。また、車椅子使用者や背の低い女性や子供についても、下方が開放しているため下から自然に腕を上げるだけの動作となるため、乾燥しやすい手乾燥装置が得られる。
【００１０】
また、他の手段は、ノズルの吹出し開口部から吹き出す気体を、挿入される手の軸線に対し、軸線と直交または手の挿入方向と同方向に吹き出させることを特徴とするものである。
【００１１】
この手段により、ノズル吹出口から吹き出された気体や風圧により、手に付いた水滴を手に沿って指先方向に吹き飛ばすため、使用者側に水しぶきが飛ぶなど不快感がなく、乾燥効率が向上する手乾燥装置が得られる。
【００１２】
また、他の手段は、吹出し開口部を小径の複数孔、あるいは細形スリットで構成したことを特徴とするものである。
【００１３】
この手段により、風速を下げることなく気体が手に当たる範囲を広げることができるため、乾燥性能を向上させることができる。また、気体吹き出しの直進性を向上させることができるため、手挿入部のノズル間隔を広げることができる。これにより、開放感を得られるだけでなく、吹出し開口部等に挿入した手がノズルに接触するなどの不快感のない手乾燥装置が得られる。
【００１４】
また、他の手段は、ノズルと箱体をシャフトで支持したノズル支持部を設けて、ノズルがノズル支持部を軸として前後方向に回転可動することを特徴とするものである。
【００１５】
この手段により、ノズルの角度が変えられることで、使用者に合ったノズル角度にすることができるため、さらにより自然な動作で乾燥させることができ、使い勝手の良い手乾燥装置が得られる。
【００１６】
また、他の手段は、複数本のノズルの内、１本を回転可動させれば同時に他のノズルも同じ回転可動することを特徴とするものである。
【００１７】
この手段により、３本のノズルが同じ回転可動することで、ノズル相互の吹出し開口部の位置や、ノズルの相互平行が保たれるため、乾燥性能を低下させることなくノズルの角度が変えられる手乾燥装置が得られる。
【００１８】
また、他の手段は、それぞれのノズルを１本のシャフトに固定したことを特徴とするものである。
【００１９】
この手段により、３本のノズルが同じ回転可動することで、ノズル相互の吹出し開口部の位置や、ノズルの相互平行が保たれるため、乾燥性能を低下させることなくノズルの角度を変えられる手乾燥装置が得られる。
【００２０】
また、他の手段は、ノズルを前方４５度以上に回転可動にできることを特徴としたものである。
【００２１】
この手段により、ノズルを前方４５度以上に回転可動可能にすることで、掃除の際、邪魔なノズルを前方に大きく回転移動できるため、箱体底面やノズルの周囲などの掃除が容易にできる手乾燥装置が得られる。
【００２２】
また、他の手段は、ノズルが回転可動したのち、好みの角度で維持できる回転維持機構を箱体とノズル擦動部に設けたことを特徴としたものである。
【００２３】
この手段により、毎回手を乾燥させる際ノズル角度が自重や体が当るなど、何かの拍子で変わったりすることのない、使い勝手の良い手乾燥装置が得られる。
【００２４】
また、他の手段は、本体のシャフト近傍のノズル摺動部側にバネケースを設け、このバネケースに収められたバネによって球がノズル側面を押すようにし、球が当たるノズル側には、シャフトと同心円状に複数の凹部を並べて、ノズルを回転したときに、球が山を乗り越えて凹部を移動し、球が凹部に嵌っているときは、球が凹部を押し付けてノズルを維持する回転維持機構を設けたことを特徴としたものである。
【００２５】
この手段により、毎回手を乾燥させる際ノズル角度が自重や体が当るなど、何かの拍子で変わったりすることのない、使い勝手の良い手乾燥装置が得られる。
【００２６】
また、他の手段は、箱体の背面から手を乾燥させる空間を覆う形で下方に延びた顎状の水受けを有することを特徴としたものである。
【００２７】
この手段により、乾燥室を覆う形で水受けを設けることで、吹出し開口部からの気体によって吹き飛ばされた水滴を、壁や床に飛散させて濡らしたり汚したりすることなく、回収できる手乾燥装置が得られる。
【発明の効果】
【００２８】
本発明の手乾燥装置によれば、送風装置を有する箱体と、この箱体の下部には送風装置と連通し垂れ下がる形でほぼ横並びでほぼ相互平行に突き出た３本のノズルと、ノズル同士が向い合うノズル側面には吹出し開口部を設け、手をノズル間の２ヵ所にそれぞれ片手づつ前方あるいは下方から挿入できる構成とすることにより、箱体の下部に垂れ下がる形で、ノズル間の前後方向および下方が開口している３本のノズル間に手を前方からあるいは下方から入れられ、ノズルの吹出し開口部から吹き出された気体により水滴を吹き飛ばして乾燥させることでノズル間の前後方向および下方が開口しているため、手を前方からあるいは下方から挿入でき、開放感が得られる。また、車椅子使用者や背の低い女性や子供についても、下方が開放しているため下から自然に腕を上げるだけの動作となるため、乾燥しやくすい手乾燥装置を提供することができる。
【００２９】
また、ノズルの吹出し開口部から吹き出す気体を、挿入される手の軸線に対し、軸線と直交または手の挿入方向と同方向に吹き出させる構成とすることにより、ノズル吹出口から吹き出された気体や風圧で、手に付いた水滴を手に沿って指先方向に吹き飛ばすため、使用者側に水しぶきが飛ぶなど不快感がなく、乾燥効率が向上する手乾燥装置を提供することができる。
【００３０】
また、吹出し開口部を小径の複数孔、あるいは細形スリットで構成とすることにより、風速を下げることなく気体が手に当たる範囲を広げることができるため、乾燥性能を向上させることができる。また、気体吹き出しの直進性を向上させることができるため、手挿入部のノズル間隔を広げることができる。これにより、開放感を得られるだけでなく、吹出し開口部等に挿入した手がノズルに接触するなどの不快感のない手乾燥装置を提供することができる。
【００３１】
また、ノズルと箱体をシャフトで支持したノズル支持部を設けて、ノズルがノズル支持部を軸として前後方向に回転可動する構成とすることにより、ノズルの角度が変えられることで、使用者に合ったノズル角度にすることができるため、さらにより自然な動作で乾燥させることができ、使い勝手の良い手乾燥装置を提供することができる。
【００３２】
また、複数本のノズルの内、１本を回転可動させれば同時に他のノズルも同じ回転可動する構成とすることにより、３本のノズルが同じ回転可動することで、ノズル相互の吹出し開口部の位置や、ノズルの相互平行が保たれるため、乾燥性能を低下させることなくノズルの角度が変えられる手乾燥装置を提供することができる。
【００３３】
また、それぞれのノズルを１本のシャフトに固定した構成とすることにより、３本のノズルが同じ回転可動することで、ノズル相互の吹出し開口部の位置や、ノズルの相互平行が保たれるため、乾燥性能を低下させることなくノズルの角度を変えられる手乾燥装置を提供することができる。
【００３４】
また、ノズルを前方４５度以上に回転可動にできる構成とすることにより、ノズルを前方４５度以上に回転可動可能にすることで、掃除の際、邪魔なノズルを前方に大きく回転移動できるため、箱体底面やノズルの周囲などの掃除が容易にできる手乾燥装置を提供することができる。
【００３５】
また、ノズルが回転可動したのち、好みの角度で維持できる回転維持機構を箱体とノズル擦動部に設けた構成とすることにより、毎回手を乾燥させる際ノズル角度が自重や体が当るなど、何かの拍子で変わったりすることのない、使い勝手の良い手乾燥装置を提供することができる。
【００３６】
また、本体のシャフト近傍のノズル摺動部側にバネケースを設け、このバネケースに収められたバネによって球がノズル側面を押すようにし、球が当たるノズル側には、シャフトと同心円状に複数の凹部を並べて、ノズルを回転したときに、球が山を乗り越えて凹部を移動し、球が凹部に嵌っているときは、球が凹部を押し付けてノズルを維持する回転維持機構を設けた構成とすることにより、毎回手を乾燥させる際ノズル角度が自重や体が当るなど、何かの拍子で変わったりすることのない、使い勝手の良い手乾燥装置を提供することができる。
【００３７】
また、箱体の背面から手を乾燥させる空間を覆う形で下方に延びた顎状の水受けを有する構成とすることにより、乾燥室を覆う形で水受けを設けることで、吹出し開口部からの気体によって吹き飛ばされた水滴を、壁や床に飛散させて濡らしたり汚したりすることなく、回収できる手乾燥装置を提供することができる。
【発明を実施するための最良の形態】
【００３８】
本発明の請求項１記載の手乾燥装置は、送風装置を有する箱体と、この箱体の下部には送風装置と連通し垂れ下がる形でほぼ横並びでほぼ相互平行に突き出た３本のノズルと、ノズル同士が向い合うノズル側面には吹出し開口部を設け、手をノズル間の２ヵ所にそれぞれ片手づつ前方あるいは下方から挿入できる構成としたことを特徴とした手乾燥装置であって、箱体の下部に垂れ下がる形で、ノズル間の前後方向および下方が開口している３本のノズル間に手を前方からあるいは下方から入れられ、ノズルの吹出し開口部から吹き出された気体により水滴を吹き飛ばして乾燥させる作用を有する。
【００３９】
また、前記ノズルの前記吹出し開口部から吹き出す気体を、挿入される手の軸線に対し、軸線と直交または手の挿入方向と同方向に吹き出させることを特徴とした手乾燥装置であって、ノズル吹出口から吹き出された気体や風圧により、手に付いた水滴を手に沿って指先方向に吹き飛ばす作用を有する。
【００４０】
また、前記吹出し開口部を小径の複数孔、あるいは細形スリットで構成したことを特徴とした手乾燥装置であって、小径の複数孔あるいは細形スリットの間隔を広げた構成とすることができ、気体が手に当たる範囲を広げることができる。また、吹出し開口部を小径の複数孔あるいは細形スリットにすることで、風速を上げることができ直進性を向上できるため必要な風速を維持しながら遠くまで空気を送る作用を有する。
【００４１】
また、ノズルと箱体をシャフトで支持したノズル支持部を設けて、ノズルがノズル支持部を軸として前後方向に回転可動する構成としたことを特徴とした手乾燥装置であって、ノズルが前後方向に回転可動することにより、ノズルだけがノズル支持部を軸にして前後方向に回転してノズルの角度を変える作用を有する。
【００４２】
また、複数本のノズルの内、１本を回転可動させれば同時に他のノズルも同じ回転可動する構成としたことを特徴とした手乾燥装置であって、１つのノズルを回転可動することで、他のノズルの回転可動も行いノズルの角度を同一に設定する作用を有する。
【００４３】
また、それぞれのノズルを１本のシャフトに固定した構成としたことを特徴とした手乾燥装置であって、１本のシャフトの支持により、１つのノズルを回転可動することで、他のノズルの回転可動も同一に設定する作用を有する。
【００４４】
また、請求項７記載の発明は、ノズルを前方４５度以上に回転可動にできる構成としたことを特徴とした手乾燥装置であって、掃除をする際に、ノズルを手前方向へ回転可動させて、箱体の底部や壁を手で掃除する作用を有する。
【００４５】
また、ノズルが回転可動したのち、好みの角度で維持できる回転維持機構を箱体とノズル擦動部に設けた構成としたことを特徴とした手乾燥装置であって、回転稼動したノズルを好みの位置で自由に維持できる作用を有する。
【００４６】
また、本体のシャフト近傍のノズル摺動部側にバネケースを設け、このバネケースに収められたバネによって球がノズル側面を押すようにし、球が当たるノズル側には、シャフトと同心円状に複数の凹部を並べて、ノズルを回転したときに、球が山を乗り越えて凹部を移動し、球が凹部に嵌っているときは、球が凹部を押し付けてノズルを維持する回転維持機構を設けた構成としたことを特徴とした手乾燥装置であって、球が凹部に嵌って、凹部を押し付けて抵抗となり、ノズルを好みの位置で自由に維持する作用を有する。
【００４７】
また、箱体の背面から手を乾燥させる空間を覆う形で下方に延びた顎状の水受けを有する構成とした手乾燥装置であって、ノズルからの気体により吹き飛ばされた水滴は、壁側や下の水受けに当り、下に垂れ流れる。垂れ流れた水滴は、着脱可能な水受けカップによって回収され、排水する作用を有する。
【００４８】
以下、本発明の実施の形態について図面を参照しながら説明する。
【００４９】
（実施の形態１）
図１から図６を用いて本実施の形態１による手乾燥装置について説明をおこなう。
【００５０】
図１は本発明の実施の形態の縦断面図で、風の流れを示した図、図２は同装置の正面図で、両手をノズルの間に入れた状態を示す図、図３は同装置を洗面所に設置した状態を示す図、図４は同装置を背の低い人（子供や女性など）が使用する状態を示す側面図、図５は同装置を車椅子に乗った人が、下から手を入れて使用している状態を示す図、図６は同装置を車椅子に乗った人が、前から手を入れて使用している状態を示す図である。
【００５１】
本発明の手乾燥装置について、図１および図２を用いて説明する。手乾燥装置１は、主に、風を発生させる送風装置４と、この送風装置４で発生した高圧高速の気体を吹き出すノズル８と、この気体を吸い込む吸気口１１と、手の挿入を検知する手検知センサー１０と、電装部品を制御する制御手段５で構成されている。送風装置４や制御手段５は箱体２で覆われ、この箱体２の下面に吸気口や手検知センサー１０を設けている。また、送風装置４はモーターケース３で覆われ、気体が吸気口１１から送風装置４を介してノズル８へ流れる風路を形成している。吸気口１１には、取り込む気体を清浄する吸気フィルター１２が備えられ、また箱体２の背面には引掛け部１４を設け、壁面に固定された壁掛け金具１３に固定されるようになっている。箱体２の前面下部にはノズル８を設け、このノズル８は中空で送風装置４と連通し、箱体２から垂れ下がる形でほぼ横並びで、かつ、ほぼ相互平行に３本間隔を空けて突き出している。また、ノズル８同士が向い合う面には吹出し開口部９を設け、送風装置４からの気体がノズル８の吹出し開口部９から吹き出す構成となっている。
【００５２】
次に、手乾燥装置１を設置した洗面所について図３を用いて説明する。
【００５３】
洗面所には洗面台があり、その近傍の壁に手乾燥装置１が取り付けられている。
【００５４】
上記構成により、両手を２ヵ所のノズル間に片方ずつ挿入すると、手検知センサー１０が手の存在を検知し、制御手段５を介して送風装置４が動作する。送風装置４が動作を始めると、吸気口１１から気体が箱体２内に吸い込まれるが、吸気口１１に吸気フィルター１２を設けているため、水気や埃・ゴミを除去し、きれいな空気を手乾燥装置１内に取り込むことができる。吸い込まれた気体はモーターケース３内に入り、送風装置４を介することで暖められた気体が３本それぞれのノズル８に送られ、吹き出し開口部９から高速の気体が吹き出される。吹き出された気体は、両手とも掌と手の甲に同時に当たり、手に付いた水滴を払拭し乾燥させる。このとき、吹出し開口部９を挿入される手の軸線に対し、軸線と直交または手の挿入方向と同方向に向けて吹き出すことにより、気体の風圧により手に付いた水滴を手に沿って指先方向に吹き飛ばすため、使用者への不快感がなく、再付着がない分、乾燥効率が向上する。
【００５５】
また、吹出し開口部９を小径の複数孔、あるいは細形スリットで構成することにより、吹き出し範囲を広げた構成とすることができるため、気体が手に当たる範囲を広げられ、乾燥性能を向上させることができる。さらに、開口面積が絞れることで風速や直進性を向上できるため、必要な風速を維持しながら遠くまで空気を送ることができる。これにより、手を挿入するノズル８間隔を広げることができるため、吹出し開口部９等に挿入した手がノズル８に接触するのを防止でき接触による不快感や圧迫感をなくすることができる。
【００５６】
図４に示すように、ノズル８間の前後方向および下方が開口しているため、手を前方からあるいは下方から挿入できるため、開放感が得られる。また、車椅子使用者や背の低い女性や子供についても、図５に示すように、下方が開放しているため下から自然に腕を上げるだけの動作となるため、乾燥しやくなる。また、図６に示すように、当然、前方も開放しているため前からも手を入れることができるため、図５のように下から自然に腕を上げて手を挿入し、前後方向に手を動かして乾燥させ、下方や前方のやりやすい方向に手を抜くことができる。
【００５７】
（実施の形態２）
図１および図２、図７を用いて本実施の形態２による手乾燥装置１について説明をおこなう。
【００５８】
図７は同装置を背の高い人（大人の男性など）が使用する状態を示す側面図、図８は同装置のノズルを前方に回転可動させて、掃除をしている状態を示す側面図であり、実施の形態１と同じ部分については同一の符号を用い、それらについての説明を省略する。
【００５９】
実施の形態２は実施の形態１に対して図１に示すように、３本のノズル８と箱体２を支持したノズル支持部１５を設け、このノズル支持部１５で３本のノズル８は１本のシャフト６に固定され、ノズル８を前方４５度以上に回転可動にできる構成となっている。
【００６０】
上記構成により、３本のノズル８の内１本を回転可動させれば、ノズル支持部１５のシャフト６が回転することで同時に他のノズル８も前後方向に同じ回転可動するため、ノズル８だけがノズル支持部１５を軸にして前後方向に回転してノズル８の角度を変えることとなる。ノズル８の角度が変えられることで、使用者に合ったノズル角度にすることができるため、図７に示すように、背の高い人（大人の男性など）が使用する際でも、自然な動作で乾燥させることができ、使い勝手がさらに良くなる。また、図８に示すようにノズル８を前方４５度以上に回転可動することで、邪魔なノズル８を一時的に移動できるため、箱体２底面やノズル８の周囲などの掃除を容易にすることができる。
【００６１】
（実施の形態３）
図９および図１０を用いて本実施の形態３による手乾燥装置１について説明をおこなう。
【００６２】
図９は同装置の回転維持機構１６を示す横断面図、図１０は同装置の回転維持機構１６を示す部分横断面図であり、実施の形態１と同じ部分については同一の符号を用い、それらについての説明を省略する。
【００６３】
実施の形態３は実施の形態１に対して図９に示すように、ノズル支持部１５のシャフト６近傍のノズル摺動部１７側にバネケース１８を設け、このバネケース１８に収められたバネ１９によって球２０がノズル８側面を押すようにし、球２０が当たるノズル８側には、シャフト６と同心円状に複数の凹部２１を並べて、ノズル８を回転したときに、球２０が山を乗り越えて凹部２１を移動し、球２０が凹部２１に嵌っているときは、球２０が凹部２１を押し付けてノズル８を維持する回転維持機構１６を設けた構成となっている。
【００６４】
上記構成により、球２０が凹部２１に嵌って、凹部２１を押し付けて抵抗となり、ノズル８を好みの位置で自由に維持する。毎回手を乾燥させる際、ノズル角度を調整する必要がなく、使い勝手が良くなることとなる。
【００６５】
（実施の形態４）
図１１を用いて本実施の形態４による手乾燥装置について説明をおこなう。
【００６６】
図１１は同装置に水受け２２を設け、人が使用している状態を示す側面図であり、実施の形態１と同じ部分については同一の符号を用い、それらについての説明を省略する。
【００６７】
実施の形態４は実施の形態１に対して図１１に示すように、箱体２の背面から手を乾燥させる空間を覆う形で下方に延びた顎状の水受け２２を構成となっている。
【００６８】
上記構成により、ノズル８からの気体により吹き飛ばされた水滴は、壁側や下の水受け２２に当り、下方に垂れ流れる。垂れ流れた水滴は、水受けカップ２３によって回収され、排水する。手を乾燥させる空間を覆う形で水受け２２を設けることで、吹出し開口部９からの気体によって吹き飛ばされた水滴を、壁や床に飛散させて濡らしたり汚したりすることなく、回収される。
【産業上の利用可能性】
【００６９】
本発明の手乾燥装置は、家庭用、老人福祉関係、病院、食品を扱う場所などの洗面所・トイレ、あるいは本体サイズを変えれば足乾燥などにおいても利用可能である。
【図面の簡単な説明】
【００７０】
【図１】本発明の実施の形態の縦断面図で、風の流れを示した図
【図２】同装置の正面図で、両手をノズルの間に入れた状態を示す図
【図３】同装置を洗面所に設置した状態を示す図
【図４】同装置を背の低い人（子供や女性など）が使用する状態を示す側面図
【図５】同装置を車椅子に乗った人が、下から手を入れて使用している状態を示す図
【図６】同装置を車椅子に乗った人が、前から手を入れて使用している状態を示す図
【図７】同装置を背の高い人（大人の男性など）が使用する状態を示す側面図
【図８】同装置のノズルを前方に回転可動させて、掃除をしている状態を示す側面図
【図９】同装置の回転維持機構を示す横断面図
【図１０】同装置の回転維持機構を示す部分横断面図
【図１１】同装置に水受けを、人が使用している状態を示す側面図
【図１２】従来の手乾燥装置を示す縦断面図
【符号の説明】
【００７１】
１    手乾燥装置
２    箱体
４    送風装置
６    シャフト
８    ノズル
９    吹出し開口部
１５  ノズル支持部
１６  回転維持機構
１７  ノズル摺動部
１８  バネケース
１９  バネ
２０  球
２１  凹部
２２  水受け
【図１】
2008220726.tif 000003
【図２】
2008220726.tif 000004
【図３】
2008220726.tif 000005
【図４】
2008220726.tif 000006
【図５】
2008220726.tif 000007
【図６】
2008220726.tif 000008
【図７】
2008220726.tif 000009
【図８】
2008220726.tif 000010
【図９】
2008220726.tif 000011
【図１０】
2008220726.tif 000012
【図１１】
2008220726.tif 000013
【図１２】
2008220726.tif 000014